(57)【要約】【課題】必要に応じて展開状態と収納状態を取り得ると共に収納状態においてコンパクトに収納でき、更には、折り畳み・展開の作業時に、安全性の高い簡易隔離ブースを提供する。【解決手段】垂直状のフレーム体と、垂直状のフレーム体の上部に設けられて、前方に向けて展開状態と閉止状態とを取り得る天井部と、フレーム体の左右下部に相対向して設けられて、前方に向けて展開状態と閉止状態とを取り得る脚部と、シートとを備え、天井部と脚部とを展開した状態で、前記天井部とフレーム体とにより区画された空間部の少なくとも一部をシートによって囲んで隔離ブースとしているので、使用時には天井部と脚部とを展開状態とし、収納時には閉止状態とすることで、コンパクトに収納することができる。【選択図】        図２
2010240270.tif 000002
【特許請求の範囲】
【請求項１】
垂直状のフレーム体と、垂直状のフレーム体の上部に設けられて、前方に向けて展開状態と閉止状態とを取り得る天井部と、フレーム体の左右下部に相対向して設けられて、前方に向けて展開状態と閉止状態とを取り得る脚部と、シートとを備え、天井部と脚部とを展開した状態で、前記天井部とフレーム体とにより区画された空間部の少なくとも一部をシートによって囲んで隔離ブースとすることを特徴とする簡易隔離ブース。
【請求項２】
前記天井部と脚部とは、脚部が展開された状態においてのみ天井部の展開を可能とし、天井部が折り畳まれた状態においてのみ脚部の折り畳みを可能とする誤操作防止機構を備えたことを特徴とする請求項１に記載の簡易隔離ブース。
【請求項３】
前記天井部から脚部に向けて、該天井部の開閉に連動して上下動する棒状体が設けられ、脚部は前記棒状体に近接して縦軸が設けられると共に、該縦軸を軸として回動させることにより、展開状態と閉止状態とを取り得るようになされ、前記誤操作防止機構は、棒状体の下部に設けられて、天井部が展開された前記棒状体の上方位置において、脚部が展開状態から閉止状態に回動するのを阻止する第１のストッパーと、脚部の縦軸に設けられて、脚部が閉止状態において、天井部が展開された前記棒状体の上方位置への移動を阻止する第２のストッパーとを備えたことを特徴とする請求項２に記載の簡易隔離ブース。
【発明の詳細な説明】
【技術分野】
【０００１】
本発明は、病院等において用いられる簡易隔離ブースに関するものである。さらに詳しくは、病院内等において様々な病原菌や埃等から処置中の患者を隔離し、それらの患者への悪影響を低減するための簡易隔離ブースに関するものである。
【背景技術】
【０００２】
例えば、人工透析を行う患者は、その処置を受ける際、ベッドや診療台の上で数時間にわたって透析を受けるため、来院する様々な患者の持ち込む病原菌や埃等が浮遊した雰囲気に長時間にわたり曝されるため、ベッドの頭部側に配置される垂直方向のフレームに、ベッドの上部にフードを形成するカーテンを取付けると共に、内部に波長が２５４ｎｍの殺菌線を放射する殺菌ランプを配置した殺菌ボックスをフレームの背面に取り付け、殺菌ボックス内の殺菌された空気を該フード内に送風することを特徴とするクリーンフードシステムが提案されている（例えば、特許文献１参照）。
【０００３】
そして、それに用いられる簡易隔離ブースとしては、ベッドの頭部側に配置された垂直方向のフレームの頂部からカーテン保持パイプがベッド方向に延び出しており、カーテン保持パイプにカーテンが開閉可能に吊り下げられて、カーテンは、例えば透明の塩化ビニールからなり、抗菌処理が施されているが、カーテンを閉じるとベッドの上部、つまり患者の頭部や胸部の上部にフードが形成されるものである。
【先行技術文献】
【特許文献】
【０００４】
【特許文献１】特開平１０−１５１１６０号公報
【発明の概要】
【発明が解決しようとする課題】
【０００５】
しかしながら、従来のような簡易隔離ブースは、カーテン保持パイプや脚部が折り畳む構造となされていないため、使用しない時には収納スペースが比較的大きく必要となってしまう。また、単にカーテン保持パイプや脚部を折り畳むことができる構造にしただけでは、例えば、脚部が折り畳まれた状態で、カーテン保持パイプが展開されてしまうと、非常に不安定な状態となり、簡易隔離ブースが作業者に倒れかかり、ケガをする危険性がある。
【０００６】
本発明は、前記の如き課題を解消し、必要に応じて展開状態と収納状態を取り得ると共に収納状態においてコンパクトに収納でき、更には、折り畳み・展開の作業時に、安全性の高い簡易隔離ブースを提供せんとするものである。
【課題を解決するための手段】
【０００７】
上記目的を達成するために、本発明は次のような構成としている。
すなわち、本発明に係る簡易隔離ブースは、垂直状のフレーム体と、垂直状のフレーム体の上部に設けられて、前方に向けて展開状態と閉止状態とを取り得る天井部と、フレーム体の左右下部に相対向して設けられて、前方に向けて展開状態と閉止状態とを取り得る脚部と、シートとを備え、天井部と脚部とを展開した状態で、前記天井部とフレーム体とにより区画された空間部の少なくとも一部をシートによって囲んで隔離ブースとすることを特徴とするものである。
【０００８】
また、本発明に係る簡易隔離ブースは、前記天井部と脚部とは、脚部が展開された状態においてのみ天井部の展開を可能とし、天井部が折り畳まれた状態においてのみ脚部の折り畳みを可能とする誤操作防止機構を備えたことを特徴とするものである。
【０００９】
また、本発明に係る簡易隔離ブースは、前記天井部から脚部に向けて、該天井部の開閉に連動して上下動する棒状体が設けられ、脚部は前記棒状体に近接して縦軸が設けられると共に、該縦軸を軸として回動させることにより、展開状態と閉止状態とを取り得るようになされ、前記誤操作防止機構は、棒状体の下部に設けられて、天井部が展開された前記棒状体の上方位置において、脚部が展開状態から閉止状態に回動するのを阻止する第１のストッパーと、脚部の縦軸に設けられて、脚部が閉止状態において、天井部が展開された前記棒状体の上方位置への移動を阻止する第２のストッパーとを備えたことを特徴とするものである。
【発明の効果】
【００１０】
本発明によれば、垂直状のフレーム体と、垂直状のフレーム体の上部に設けられて、前方に向けて展開状態と閉止状態とを取り得る天井部と、フレーム体の左右下部に相対向して設けられて、前方に向けて展開状態と閉止状態とを取り得る脚部と、シートとを備え、天井部と脚部とを展開した状態で、前記天井部とフレーム体とにより区画された空間部の少なくとも一部をシートによって囲んで隔離ブースとしているので、使用時には天井部と脚部とを展開状態とし、収納時には閉止状態とすることで、コンパクトに収納することができる。
【００１１】
また、本発明によれば、前記天井部と脚部とは、脚部が展開された状態においてのみ天井部の展開を可能とし、天井部が折り畳まれた状態においてのみ脚部の折り畳みを可能とする誤操作防止機構を備えているため、天井部と脚部との展開・折り畳みの作業を行う作業者が誤って作業を行い、ケガをする危険をなくすことができる。
【００１２】
また、本発明によれば、前記天井部から脚部に向けて、該天井部の開閉に連動して上下動する棒状体が設けられ、脚部は前記棒状体に近接して縦軸が設けられると共に、該縦軸を軸として回動させることにより、展開状態と閉止状態とを取り得るようになされ、前記誤操作防止機構は、棒状体の下部に設けられて、天井部が展開された前記棒状体が上方位置において、脚部が展開状態から閉止状態に回動するのを阻止する第１のストッパーと、脚部の縦軸に設けられて、脚部が閉止状態において、天井部が展開された前記棒状体の上方位置への移動を阻止する第２のストッパーとを備えているため、確実かつ効率的に、展開状態と閉止状態との変体を行うことができる。
【図面の簡単な説明】
【００１３】
【図１】本発明に係る簡易隔離ブースの、使用状態の一例を示す説明図である。
【図２】本発明に係る簡易隔離ブースの、実施の一形態を示す斜視図である。
【図３】本発明に係る簡易隔離ブースの誤操作防止機構のうち、第１のストッパーを説明する説明図であり、天井部が閉止した状態における説明図である。
【図４】本発明に係る簡易隔離ブースの誤操作防止機構のうち、第１のストッパーを説明する説明図であり、天井部が展開した状態における説明図である。
【図５】本発明に係る簡易隔離ブースの誤操作防止機構のうち、第２のストッパーを説明する説明図であり、天井部が閉止した状態における説明図である。
【図６】本発明に係る簡易隔離ブースの誤操作防止機構のうち、第２のストッパーを説明する説明図であり、天井部が展開した状態における説明図である。
【発明を実施するための形態】
【００１４】
次に、本発明を実施するための最良の形態について図面を参照し、具体的に説明する。
【００１５】
本発明に係る簡易隔離ブースＰは、垂直状のフレーム体１と、垂直状のフレーム体１の上部に設けられて、前方に向けて展開状態と閉止状態とを取り得る天井部２と、フレーム体１の左右下部に相対向して設けられて、前方に向けて展開状態と閉止状態とを取り得る脚部３と、シート９とを備え、天井部２と脚部３とを展開した状態で、前記天井部２とフレーム体１とにより区画された空間部の少なくとも一部をシート９によって囲むようになされている。
【００１６】
フレーム体１は、支柱１１と水平杆１２を継手１３によりフレーム状に接続し形成したもので、本形態においては、フレーム体１の上端部は、４本の支柱１１の上端と２本の左右方向の水平杆１２ａと２本の前後方向の水平杆１２ｂとを４個の三方継手１３ａにより接続して長方形状に形成されて、前面寄りには左右方向に補強バー１４がＴ型継手１３ｂにより接続されている。
【００１７】
フレーム体１の下端部は、４本の支柱１１下端と１本の左右方向の水平杆１２ａと２本の前後方向の水平杆１２ｂとを２個の三方継手１３ａ及び２個のＬ型継手１３ｃにより接続し、前方に開放したコ字状に形成されて、さらに前記２本の前後方向の水平杆１２ｂの中間部は第１の横杆１５が左右方向にＴ型継手１３ｂにより接続されている。なお、４本の支柱１１の下端には車輪１６が取付けられており、簡易隔離ブースが移動できるようになされている。
【００１８】
支柱１１高さ１／３付近には、フレーム体１の下端部と同様に、１本の左右方向の水平杆１２ａと２本の前後方向の水平杆１２ｂとが２個の四方継手１３ｄと２個のＴ型継手１３ｂにより前方に開放したコ字状に接続されて、さらに前記２本の前後方向の水平杆１２ｂの中間部は第２の横杆１７が左右方向にＴ型継手１３ｂにより接続されて、フレーム体１が歪みにくいように補強されている。
【００１９】
左側支柱１１間及び右側支柱１１間の高さ２／３付近には、前後方向の水平杆１２ｂがそれぞれ１本ずつＴ型継手１３ｂにより接続され、さらにその水平杆１２ｂの中間部には、２本の第３の横杆１８（１８ａ）、１８（１８ｂ）が左右方向にＴ型継手１３ｂにより接続されて、フレーム体１が補強されている。
【００２０】
フレーム体１上端部手前側の左右方向の水平杆１２ａには、四角に枠組みされた天井部２が前方に向けて展開状態と閉止状態とを取り得るように支持されている。また、天井部２の中間部には、補強のための横杆２１が左右方向に継手２２により接続されている。
【００２１】
さらに詳しくは、天井部２基端側の枠組バー２３は、フレーム体１上端部手前側の左右方向の水平杆１２ａの左右端部に水平に固着されたメガネ状継手１３ｅの手前側の通孔１３ｆに挿通されて、前記水平杆１２ａに対して回動自在に取付けられているので、天井部２が閉止状態から展開されると、天井部２は天井部２基端側の枠組バー２３を中心軸として回動されるのである。なお、メガネ状継手１３ｅとは、２本の棒材を並行に挿通できる２つのメガネ状の通孔を有する継手のことである。
【００２２】
また、天井部２の基端部左側には、後述する天井部２の開閉に連動して上下動する棒状体４と天井部２とを連結する連結杆５が取付けられる支持部２４が外方に向けて水平に突出されて設けられている。
【００２３】
棒状体４は、前記天井部２から脚部３に向けて、天井部２の開閉に連動して上下動するように、フレーム体１の左側手前の支柱１１に取付けられて、棒状体４の上部と天井部２の支持部２４とが連結杆５により連結されている。
【００２４】
さらに詳しくは、棒状体４は、フレーム体１の左側手前の支柱１１の下部と高さ２／３付近とに固着されたメガネ状継手１３ｅの手前側の通孔１３ｇに挿通されて、上下に摺動自在に取付けられているので、天井部２が閉止状態から展開されると、天井部２の支持部２４に連結された連結杆５及びその連結杆５に連結された棒状体４が上方位置に移動するのである。逆に、天井部２が展開状態から閉止されると、天井部２の支持部２４に連結された連結杆５及びその連結杆５に連結された棒状体４が下方位置に移動するのである。
【００２５】
脚部３は、フレーム体１の左右下部に相対向して設けられており、第１の横杆１５と第２の横杆１７とに架け渡された縦杆１９に縦軸３１が支持され、該縦軸３１の上端及び下端から前方に向けて短尺の上杆３２及び長尺の下杆３３が突設され、上杆３２の先端から補強杆３４が垂下され下杆３３に接続されている。また、縦軸３１と補強杆３４との中間部は補強横杆３５が差し渡されている。
【００２６】
さらに詳しくは、縦軸３１は、第１の横杆１５と第２の横杆１７とに架け渡された縦杆１９の上部と下部とに固着されたメガネ状継手１３ｅの手前側の通孔１３ｈに挿通されて、前記縦杆１９に対して回動自在に取付けられているので、脚部３を前方に向けて展開したり、奥に向けて閉止する際には、縦軸３１を中心軸として脚部３が回動されて、展開・閉止されるのである。
【００２７】
前記天井部２と脚部３とは、脚部３が展開された状態においてのみ天井部２の展開を可能とし、天井部２が折り畳まれた状態においてのみ脚部３の折り畳みを可能とする誤操作防止機構６を備えている。
【００２８】
該誤操作防止機構６は、棒状体４の下部に設けられて、天井部２が展開された状態において棒状体４が移動した上方位置において、脚部３が展開状態から閉止状態に回動するのを阻止する第１のストッパー６１と、脚部３の縦軸３１に設けられて、脚部３が閉止状態において、天井部２が展開された状態、すなわち棒状体４の上方位置への移動を阻止する第２のストッパー６２とを備えている。
【００２９】
第１のストッパー６１は、棒状体４下部の右側面に奥に向けて並行に２本のバー材が取付けられ、上側のバー材６３先端から垂下された縦材６４と下側のバー材６５とが接続されている位置において、その右側に向けてエルボ状の脚部阻止体６６が上方に突設されてなる。
【００３０】
そして、図５に示されるように、天井部２が展開された棒状体４が上方位置に移動した状態においては、脚部３を折り畳もうすると、脚部３の補強横杆３５が脚部阻止体６６に係止され、脚部３の回動が阻止されるようになされている。
【００３１】
また、図６に示されるように、天井部２が折り畳まれた棒状体４が下方位置においては、棒状体４下部に取付けられた脚部阻止体６６も下方に下がった位置にあるため、補強横杆３５の係止が解かれ、縦軸３１を中心軸として回動させ脚部３を折り畳むことができるようになされている。
【００３２】
第２のストッパー６２は、脚部３の縦軸３１側面に外方に向けて固着されたエルボ状の棒状体阻止体６７からなり、図４に示されるように、天井部２と脚部３とが共に閉止状態である時、先に天井部２を展開しようとすると、すなわち棒状体４を上方位置に移動させようとすると、棒状体４に取付けられた第１のストッパー６１を構成する上側のバー材６３が棒状体阻止体６７に当接し、天井部２が展開される棒状体４の上方位置への移動が阻止される。
【００３３】
そして、図３に示されるように、天井部２が閉止状態で、縦軸３１を中心軸として回動させて脚部３を展開させると、縦軸３１側面に外方に向けて固着された棒状体阻止体６７は縦軸３１の回動に伴いバー材６３から離れる方向に回動するため、脚部３が展開された状態においては、棒状体４に取付けられた第１のストッパー６１を構成する上側のバー材６３は棒状体阻止体６７に係止することなく、棒状体４の上方位置への移動が可能となり、天井部２を展開することが可能となる。
【００３４】
支柱１１高さ１／３付近に配設された第２の横杆１７には、コ字状の脚部固定用部材７が第２の横杆１７を中心に起倒自在に回動するように取付けられている。脚部３を展開させる際には、脚部固定部材を起立方向に回動させ、脚部３を展開した後、脚部固定用部材７を倒伏方向に回動させると、脚部固定用部材７の両側の先端に取付けられたエルボ状固定部７１が脚部３の短尺の上杆３２に当接し、脚部３の折り畳みが阻止されるようになされている。
【００３５】
フレーム体１の右手前側の上部には、フレーム体１上端部の補強バー１４と第３の横杆１８（１８ａ）とに差し渡された補助棒２０と、天井部２の基端部と、を接続するガスダンパー８が取付けられており、天井部２が展開された状態で自重により下降しないようになされている。
【００３６】
天井部２とフレーム体１とにより区画された空間部の少なくとも一部を囲むシート９は、その形状は下面のみ開放された直方体状であり、その上部の少なくとも４隅がフック９１等の吊り具により天井部２に吊るされており、シート９の材質としては、合成樹脂製フィルムや布等、適宜材料を選定すればよく、好ましくは、処置中の患者の様子を伺うことができるように、無色透明の合成樹脂製フィルムで形成するのが良い。
【００３７】
簡易隔離ブースを患者の上方に配置する際、患者にシート９が引っ掛らないように、直方体状のシート９側面の１面を開けた状態にできるよう、立方体状のシート９の縦辺はファスナー（図示せず）で開閉可能となされている。
【００３８】
また、シート９の適当な場所には、空気中を浮遊する病原菌や埃等を除去する空気清浄機を通過させた空気をシート９内に送り込む窓部（図示せず）が設けられるのが好ましい。
【００３９】
そして、シート９の開放された下端に錘を取付けて、シート９の弛みやシワを防止するようになしてもよい。錘としては、ロープ状の紐体（図示せず）をシート９の開放された下端周縁に取付ける等するのがよい。
【００４０】
なお、本形態における支柱１１、水平杆１２、第１の横杆１５、第２の横杆１７、第３の横杆１８、縦杆１９、補助棒２０、天井部２の枠組、横杆２１、支持部２４、縦軸３１、上杆３２、下杆３３、補強杆３４、補強横杆３５、上側のバー材６３、下側のバー材６５としては、プラスチック製パイプ、あるいはステンレスや鉄などの鋼を材料として製造された金属管、紙製パイプ、あるいは芯材となる金属管の表面に合成樹脂層が被覆されたもの等が好適に使用される。
【００４１】
また、継手１２には、ステンレスや鉄などの鋼製の板材をプレス成形によって加工されたもの、アルミニウムや亜鉛などの合金素材をもとに鋳造された金属製のものや、合成樹脂材料による射出成型により作られたプラスチック継手が適用される。
【００４２】
また、本発明は、上述した実施形態の構成に限定されるものでなく、本発明の範囲内で適宜変更することは勿論可能である。
【産業上の利用可能性】
【００４３】
本発明によれば、垂直状のフレーム体と、垂直状のフレーム体の上部に設けられて、前方に向けて展開状態と閉止状態とを取り得る天井部と、フレーム体の左右下部に相対向して設けられて、前方に向けて展開状態と閉止状態とを取り得る脚部と、シートとを備え、天井部と脚部とを展開した状態で、前記天井部とフレーム体とにより区画された空間部の少なくとも一部をシートによって囲んで隔離ブースとしているので、使用時には天井部と脚部とを展開状態とし、収納時には閉止状態とすることで、コンパクトに収納することができる簡易隔離ブースに好適に利用できる。
【符号の説明】
【００４４】
１      フレーム体
１１    支柱
１２    水平杆
１２ａ  左右方向の水平杆
１２ｂ  前後方向の水平杆
１３    継手
１３ａ  三方継手
１３ｂ  Ｔ型継手
１３ｃ  Ｌ型継手
１３ｄ  四方継手
１３ｅ  メガネ状継手
１３ｆ  通孔
１３ｇ  通孔
１３ｈ  通孔
１４    補強バー
１５    第１の横杆
１６    車輪
１７    第２の横杆
１８    第３の横杆
１８ａ  第３の横杆
１８ｂ  第３の横杆
１９    縦杆
２０    補助棒
２      天井部
２１    横杆
２２    継手
２３    支持部
３      脚部
３１    縦軸
３２    上杆
３３    下杆
３４    補強杆
３５    補強横杆
４      棒状体
５      連結杆
６      誤操作防止機構
６１    第１のストッパー
６２    第２のストッパー
６３    上側のバー材
６４    縦材
６５    下側のバー材
６６    脚部阻止体
６７    棒状体阻止体
７      脚部固定用部材
７１    エルボ状固定部
８      ガスダンパー
９      シート
９１    フック
Ｐ      簡易隔離ブース
Ｈ      ヒンジ
【図１】
2010240270.tif 000003
【図２】
2010240270.tif 000004
【図３】
2010240270.tif 000005
【図４】
2010240270.tif 000006
【図５】
2010240270.tif 000007
【図６】
2010240270.tif 000008